(57)【要約】【課題】衝撃を緩和しつつ、異音を低減させることができ、耐摩耗性を有し周辺部材との干渉が懸念される部位に使用することができる電線群保護シートおよびワイヤハーネスを提供する。【解決手段】波形断面形状を有して複数の波形頂部４ａ，４ｂが電線群Ｗの軸方向に延びる芯材４と、芯材４を一側から覆うように各波形頂部４ａに接着された第１ライナ材５と、芯材４を他側から覆うように各波形頂部４ｂに接着されて電線群Ｗの外周面に当接する第２ライナ材６と、を備え、第１ライナ材５に、電線群Ｗの軸方向に延びるとともに第２ライナ材６に向けて窪む凹条部５ａを、波形頂部４ａの間に位置し、かつ電線群Ｗの周方向に拡縮可能に形成し、第２ライナ材６に、電線群Ｗの軸方向に延びるとともに第１ライナ材５に向けて窪む凹条部６ａを、波形頂部４ｂの間に位置し、かつ電線群Ｗの周方向に拡縮可能に形成した構成とする。【選択図】図１
2017022799.tif 000002
【特許請求の範囲】
【請求項１】
波形に成形された芯材と、
前記芯材の一側面の波形頂部に接着され前記芯材の一側面を覆う第１ライナ材と、
前記芯材の他側面の波形頂部に接着され前記芯材の他側面を覆う第２ライナ材と、を備えた樹脂製の電線群保護シートであり、
前記芯材は、巻いて保護する電線群の軸方向に垂直な断面形状が前記波形に成形され、
前記第１ライナ材および前記第２ライナ材には、前記芯材の各波形頂部間に外方から見て凹んでいる凹条部であって、前記芯材の波方向に沿って前記第１ライナ材に作用する伸縮力により幅寸法が変化する凹条部を有する、ことを特徴とする電線群保護シート。
【請求項２】
前記第１ライナ材と前記第２ライナ材のいずれか一方の面に、粘着剤層が形成され、かつ前記粘着剤層が離型紙で隠蔽されたことを特徴とする請求項１に記載の電線群保護シート。
【請求項３】
電線群と、請求項１に記載の電線群保護シートとを有し、
前記電線群に前記電線群保護シートが巻かれ、前記電線群保護シートの外面に粘着テープを巻き付けたテープ巻き固定部を有することを特徴とするワイヤハーネス。
【請求項４】
電線群と、請求項２に記載の電線群保護シートとを有し、
前記電線群の外周面に前記電線群保護シートが巻かれ、前記粘着剤層により前記電線群の外周面に前記電線群保護シートが固定されたことを特徴とするワイヤハーネス。
【発明の詳細な説明】
【技術分野】
【０００１】
本発明は、電線群保護シートおよびワイヤハーネスに関する。
【背景技術】
【０００２】
従来、自動車に配索される電線群を保護する電線群保護シートが知られている（例えば、特許文献１、２参照）。
【０００３】
図７に示すように、特許文献１に開示されている電線群保護シート１０１は、シート基材１０２の一側面に電線群１０３の軸方向に延びる複数条の溝１０４を形成させて、通常肉厚を有する厚肉部１０５と溝１０４による薄肉部１０６とを交互に配置した構成を有している。
【０００４】
この電線群保護シート１０１は、剛性が低い薄肉部１０６により電線群１０３の外周面にシート基材１０２を容易に巻き付けられるようにし、剛性が高い厚肉部１０５により電線群１０３を車体パネル等の周辺部材から保護しつつ、電線群保護シート１０１自体の耐摩耗性を保持させている。
【０００５】
図８に示すように、特許文献２に開示されている電線群保護シート２０１は、一側面にエンボス加工により円形の凹条部２０２と長円形の凹条部２０３とをそれぞれ幅方向に一列状に並べ、かつ凹条部２０２と凹条部２０３とを縦方向に交互に位置するように形成させた架橋発泡ポリエチレンシート２０４と、架橋発泡ポリエチレンシート２０４の他側面に塗布された粘着剤層２０５と、粘着剤層２０５を被覆する離形シート２０６とを有している。
【０００６】
この電線群保護シート２０１は、粘着剤層２０５から離形シート２０６を剥した状態で、図示しない電線群の外周面に架橋発泡ポリエチレンシート２０４を巻き付けて粘着剤層２０５を接着させ、車体パネル等の周辺部材に電線群保護シート２０１が接触したときの衝撃を架橋発泡ポリエチレンシート２０４によって緩和させている。
【先行技術文献】
【特許文献】
【０００７】
【特許文献１】特開２００７−３２５３５７号公報
【特許文献２】特開２０１２−２２７９７７号公報
【発明の概要】
【発明が解決しようとする課題】
【０００８】
しかしながら、特許文献１の電線群保護シート１０１は、厚肉部１０５の剛性が高く、車体パネル等の周辺部材に接触したときに大きな異音が発生する恐れがある。
【０００９】
また、特許文献２の電線群保護シート２０１は、架橋発泡ポリエチレンが摩耗し易いため、車体パネル等の周辺部材との干渉が懸念される部位には使用することができないという問題がある。
【００１０】
本発明は、上述のような課題を解決するためになされたもので、周辺部材に接触したときの衝撃を緩和しつつ、異音を低減させることができ、耐摩耗性を有し周辺部材との干渉が懸念される部位に使用することができる電線群保護シートおよびワイヤハーネスを提供することを目的としている。
【課題を解決するための手段】
【００１１】
本発明に係る電線群保護シートは、上記目的達成のため、波形に成形された芯材と、前記芯材の一側面の波形頂部に接着され前記芯材の一側面を覆う第１ライナ材と、前記芯材の他側面の波形頂部に接着され前記芯材の他側面を覆う第２ライナ材と、を備えた樹脂製の電線群保護シートであり、前記芯材は、巻いて保護する電線群の軸方向に垂直な断面形状が前記波形に成形され、前記第１ライナ材および前記第２ライナ材には、前記芯材の各波形頂部間に外方から見て凹んでいる凹条部であって、前記芯材の波方向に沿って前記第１ライナ材に作用する伸縮力により幅寸法が変化する凹条部を有する構成である。
【００１２】
この構成により、本発明に係る電線群保護シートは、樹脂製の電線群保護シートであり、第１ライナ材および第２ライナ材が芯材の波方向に沿って前記第１ライナ材に作用する伸縮力により幅寸法が変化する凹条部を有するので、第２ライナ材を例えば電線群に密着させて電線群に巻き付けられると、第２ライナ材には芯材の波方向に沿って圧縮力が働き、第２ライナ材に備えた凹条部の幅が小さく変化するとともに、外周側となる第１ライナ材には芯材の波方向に沿って伸張力が働き、第１ライナ材に備えた凹条部の幅が大きく変化するので、電線群に対して例えば電線群を１巻と１／４程度ラップするように円滑に巻き付けられ、さらに粘着テープを巻き付けることにより、電線群に固定することができる。
【００１３】
本発明の電線保護シートは、外周側となる第１ライナ材または第２ライナ材が周辺部材に接触すると、芯材の一側面の波形頂部と他側面の波形頂部との間の部位が弾性変形するため、衝撃を緩和しつつ、異音を低減させることができる。また、本発明に係る電線群保護シートは、第１ライナ材と第２ライナ材が板状体であるため、外周側となる第１ライナ材または第２ライナ材に摩耗が生じ難く、周辺部材との干渉が懸念される部位に使用することができる。
【００１４】
さらに、本発明に係る電線群保護シートは、芯材と、第１および第２ライナ材とで囲まれる複数の空間に存在する空気が断熱層になって、外部から電線群に熱が伝達されるのを抑制することができる。
【００１５】
上記電線群保護シートは、前記第１ライナ材と前記第２ライナ材のいずれか一方の面に、粘着剤層が形成され、かつ前記粘着剤層が離型紙で隠蔽された構成とすることができる。この構成によれば、本発明に係る電線群保護シートは、離型紙を剥がして粘着剤層を電線群に粘着させて電線群保護シートを例えば電線群を１巻と１／４程度ラップするように巻き付けた状態に固定することができる。
【００１６】
本発明に係るワイヤハーネスは、上記目的達成のため、電線群と、上記の粘着剤層を有しないタイプの電線群保護シートとを有し、前記電線群に前記電線群保護シートが巻かれ、前記電線群保護シートの外面に粘着テープを巻き付けたテープ巻き固定部を有する構成である。
【００１７】
この構成により、ワイヤハーネスは、例えば電線群を１巻と１／４程度ラップするように巻き付けられる大きさの電線群保護シートを用意し、電線群保護シートを電線群に一巻きに巻き付けると、上述した電線群保護シートの作用を生じて巻き付けることができて、粘着テープを巻き付けることにより、電線群に固定することができる。
【００１８】
本発明に係るワイヤハーネスは、上記目的達成のため、電線群と、上記の粘着剤層を有するタイプの電線群保護シートとを有し、前記電線群の外周面に前記電線群保護シートが巻かれ、前記粘着剤層により前記電線群の外周面に前記電線群保護シートが固定された構成である。
【００１９】
この構成により、ワイヤハーネスは、例えば電線群を１巻と１／４程度ラップするように巻き付けられる大きさの電線群保護シートを用意し、電線群保護シートを電線群に一巻きに巻き付けると、上述した電線群保護シートの作用を生じて巻き付けることができて、かつ電線群に固定することができる。
【００２０】
本発明に係るワイヤハーネスは、上述した電線群保護シートの作用、効果を有する。
【発明の効果】
【００２１】
本発明によれば、周辺部材に接触したときの衝撃を緩和しつつ、異音を低減させることができ、耐摩耗性を有し周辺部材との干渉が懸念される部位に使用することができ、さらに、外部から電線群に熱が伝達されるのを抑制することができる電線群保護シートおよびワイヤハーネスを提供することができる。
【図面の簡単な説明】
【００２２】
【図１】本発明の第１の実施の形態に係るワイヤハーネスの部分軸方向視図である。
【図２】図１における電線群保護シートの部分斜視図である。
【図３】本発明の第２の実施の形態に係るワイヤハーネスの部分軸方向視図である。
【図４】本発明の第３の実施の形態に係るワイヤハーネスの部分軸方向視図である。
【図５】図４における電線群保護シートの部分斜視図である。
【図６】本発明の第４の実施の形態に係るワイヤハーネスの部分軸方向視図である。
【図７】従来の電線群保護シートの一例の断面図である。
【図８】従来の電線群保護シートの他の例の部分断面図である。
【発明を実施するための形態】
【００２３】
以下、本発明の実施の形態に係る電線群保護シートおよびワイヤハーネスについて、図面を参照して説明する。
【００２４】
（第１の実施の形態）
図１、図２に示すように、本実施の形態に係るワイヤハーネス１は、電線群Ｗと、電線群保護シート２とを有し、電線群Ｗの外周面に電線群保護シート２を巻き付け、電線群保護シート２の所定個所に粘着テープＴを巻き付けてテープ巻き固定部３を形成している。電線群保護シート２は、例えば、電線群Ｗに対して電線群Ｗの外周の１／４程度ラップするように巻き付けられている。
【００２５】
電線群保護シート２は、波形断面形状を有して複数の波形頂部４ａ，４ｂが電線群Ｗの軸方向に延びる芯材４と、芯材４を一側から覆うように一側面の各波形頂部４ａに接着された第１ライナ材５と、芯材４を他側から覆うように他側面の各波形頂部４ｂに接着されて電線群Ｗの外周面に当接する第２ライナ材６と、を備えている。
【００２６】
第１ライナ材５には、電線群Ｗの軸方向に延びるとともに第２ライナ材６に向けてハット状に窪む凹条部５ａが、波形頂部４ａの間に１条ずつ位置し、かつ電線群Ｗの周方向に拡縮可能に形成されている。
【００２７】
第２ライナ材６には、電線群Ｗの軸方向に延びるとともに第１ライナ材５に向けてハット状に窪む凹条部６ａが、波形頂部４ｂの間に１条ずつ位置し、かつ電線群Ｗの周方向に拡縮可能に形成している。
【００２８】
すなわち、電線群保護シート２は、樹脂製の電線群保護シートであり、第１ライナ材５および第２ライナ材６が芯材４の波方向に沿って第１ライナ材５に作用する伸縮力により幅寸法が変化する凹条部５ａを有するので、第２ライナ材６を例えば電線群Ｗに密着させて電線群Ｗに巻き付けられると、第２ライナ材６には芯材４の波方向に沿って圧縮力が働き、第２ライナ材６に備えた凹条部６ａの幅が小さく変化するとともに、外周側となる第１ライナ材５には芯材４の波方向に沿って伸張力が働き、第１ライナ材５に備えた凹条部５ａの幅が大きく変化するので、電線群Ｗに対して例えば電線群Ｗを１巻と１／４程度ラップするように円滑に巻き付けられ、さらに粘着テープＴを巻き付けることにより、電線群Ｗに固定することができる。
【００２９】
芯材４、第１ライナ材５および第２ライナ材６は、ポリプロピレンやポリ塩化ビニル等の樹脂材料によって形成された所定の剛性を有する板状体である。
【００３０】
電線群保護シート２は、電線群Ｗの外周面に巻き付けられると、第１ライナ材５の凹条部５ａが巻き付け前に比べて電線群Ｗの周方向に拡がり、第２ライナ材６の凹条部６ａが巻き付け前に比べて電線群Ｗの周方向に縮む。また、凹条部５ａ，６ａは、ハット状に替えて、Ｖ字状、またはＵ字状等の他の形状とすることができる。
【００３１】
本実施の形態に係るワイヤハーネス１および電線群保護シート２は、第１ライナ材５が図示しない車体パネル等の周辺部材に接触すると、芯材４の波形頂部４ａ，４ｂの間の部位が弾性変形するため、衝撃を緩和しつつ、異音を低減させることができる。
【００３２】
また、本実施の形態に係るワイヤハーネス１および電線群保護シート２は、第１ライナ材５が板状体であるため、第１ライナ材５に摩耗が生じ難く、周辺部材との干渉が懸念される部位に使用することができる。
【００３３】
さらに、本実施の形態に係るワイヤハーネス１および電線群保護シート２は、芯材４と第１ライナ材５とで囲まれる複数の空間および芯材４と第２ライナ材６とで囲まれる複数の空間に存在する空気が断熱層になって、外部から電線群Ｗに熱が伝達されるのを抑制することができる。
【００３４】
（第２の実施の形態）
図３に示すように、本実施の形態に係るワイヤハーネス１Ａは、電線群Ｗと、電線群保護シート２Ａとを有し、電線群Ｗの外周面に電線群保護シート２Ａを巻き付け、電線群保護シート２Ａの所定個所に粘着テープＴを巻き付けてテープ巻き固定部３を形成している。電線群保護シート２Ａは、例えば、電線群Ｗに対して電線群Ｗの外周の１／４程度ラップするように巻き付けられている。
【００３５】
電線群保護シート２Ａは、波形断面形状を有して複数の波形頂部４ａ，４ｂが電線群Ｗの軸方向に延びる芯材４と、芯材４を一側から覆うように一側面の各波形頂部４ａに接着された第１ライナ材７と、芯材４を他側から覆うように他側面の各波形頂部４ｂに接着されて電線群Ｗの外周面に当接する第２ライナ材８と、を備えている。
【００３６】
第１ライナ材７には、電線群Ｗの軸方向に延びるとともに第２ライナ材８に向けてハット状に窪む凹条部７ａが、波形頂部４ａの間に２条ずつ位置し、かつ電線群Ｗの周方向に拡縮可能に形成されている。
【００３７】
第２ライナ材８には、電線群Ｗの軸方向に延びるとともに第１ライナ材７に向けてハット状に窪む凹条部８ａが、波形頂部４ｂの間に２条ずつ位置し、かつ電線群Ｗの周方向に拡縮可能に形成している。
【００３８】
芯材４、第１ライナ材７および第２ライナ材８は、ポリプロピレンやポリ塩化ビニル等の樹脂材料によって形成された所定の剛性を有する板状体である。
【００３９】
電線群保護シート２Ａは、電線群Ｗの外周面に巻き付けられると、第１ライナ材７の凹条部７ａが巻き付け前に比べて電線群Ｗの周方向に拡がり、第２ライナ材８の凹条部８ａが巻き付け前に比べて電線群Ｗの周方向に縮む。また、凹条部７ａ，８ａは、ハット状に替えて、Ｖ字状、またはＵ字状等の他の形状とすることができる。
【００４０】
本実施の形態に係るワイヤハーネス１Ａおよび電線群保護シート２Ａは、第１ライナ材７が図示しない車体パネル等の周辺部材に接触すると、芯材４の波形頂部４ａ，４ｂの間の部位が弾性変形するため、衝撃を緩和しつつ、異音を低減させることができる。
【００４１】
また、本実施の形態に係るワイヤハーネス１Ａおよび電線群保護シート２Ａは、第１ライナ材７が板状体であるため、第１ライナ材７に摩耗が生じ難く、周辺部材との干渉が懸念される部位に使用することができる。
【００４２】
さらに、本実施の形態に係るワイヤハーネス１Ａおよび電線群保護シート２Ａは、芯材４と第１ライナ材７とで囲まれる複数の空間および芯材４と第２ライナ材８とで囲まれる複数の空間に存在する空気が断熱層になって、外部から電線群Ｗに熱が伝達されるのを抑制することができる。
【００４３】
（第３の実施の形態）
図４、図５に示すように、本実施の形態に係るワイヤハーネス１Ｂは、前述の電線群Ｗおよび電線群保護シート２と、第２ライナ材６の芯材４とは反対側の面に粘着剤を塗布して形成した粘着剤層９とを有し、電線群Ｗの外周面に電線群保護シート２を巻き付けるとともに、粘着剤層９により電線群保護シート２を電線群Ｗに固定している。電線群保護シート２は、例えば、電線群Ｗに対して電線群Ｗの外周の１／４程度ラップするように巻き付けられている。
【００４４】
本実施の形態に係るワイヤハーネス１Ｂおよび電線群保護シート２は、第１ライナ材５が図示しない車体パネル等の周辺部材に接触すると、芯材４の波形頂部４ａ，４ｂの間の部位が弾性変形するため、衝撃を緩和しつつ、異音を低減させることができる。
【００４５】
本実施の形態に係るワイヤハーネス１Ｂおよび電線群保護シート２は、電線群Ｗの外周面に電線群保護シート２を粘着剤層９により短時間で固定することができる。
【００４６】
また、本実施の形態に係るワイヤハーネス１Ｂおよび電線群保護シート２は、第１ライナ材５が板状体であるため、第１ライナ材５に摩耗が生じ難く、周辺部材との干渉が懸念される部位に使用することができる。
【００４７】
さらに、本実施の形態に係るワイヤハーネス１Ｂおよび電線群保護シート２は、芯材４と第１ライナ材５とで囲まれる複数の空間および芯材４と第２ライナ材６とで囲まれる複数の空間に存在する空気が断熱層になって、外部から電線群Ｗに熱が伝達されるのを抑制することができる。
【００４８】
（第４の実施の形態）
図６に示すように、本実施の形態に係るワイヤハーネス１Ｃは、前述の電線群Ｗおよび電線群保護シート２Ａと、第２ライナ材８の芯材４とは反対側の面に粘着剤を塗布して形成した粘着剤層９とを有し、電線群Ｗの外周面に電線群保護シート２Ａを巻き付けるとともに、粘着剤層９により電線群保護シート２Ａを電線群Ｗに固定している。電線群保護シート２は、例えば、電線群Ｗに対して電線群Ｗの外周の１／４程度ラップするように巻き付けられている。
【００４９】
本実施の形態に係るワイヤハーネス１Ｃおよび電線群保護シート２Ａは、第１ライナ材７が図示しない車体パネル等の周辺部材に接触すると、芯材４の波形頂部４ａ，４ｂの間の部位が弾性変形するため、衝撃を緩和しつつ、異音を低減させることができる。
【００５０】
本実施の形態に係るワイヤハーネス１Ｃおよび電線群保護シート２Ａは、電線群Ｗの外周面に電線群保護シート２Ａを粘着剤層９により短時間で固定することができる。
【００５１】
また、本実施の形態に係るワイヤハーネス１Ｃおよび電線群保護シート２Ａは、第１ライナ材７が板状体であるため、第１ライナ材７に摩耗が生じ難く、周辺部材との干渉が懸念される部位に使用することができる。
【００５２】
さらに、本実施の形態に係るワイヤハーネス１Ｃおよび電線群保護シート２Ａは、芯材４と第１ライナ材７とで囲まれる複数の空間および芯材４と第２ライナ材８とで囲まれる複数の空間に存在する空気が断熱層になって、外部から電線群Ｗに熱が伝達されるのを抑制することができる。
【００５３】
以上説明したように、本発明に係る電線群保護シートおよびワイヤハーネスは、周辺部材に接触したときの衝撃を緩和しつつ、異音を低減させることができ、耐摩耗性を有し周辺部材との干渉が懸念される部位に使用することができ、さらに、外部から電線群に熱が伝達されるのを抑制することができるという効果を有し電線群保護シートおよびワイヤハーネス全般に有用である。
【符号の説明】
【００５４】
１，１Ａ，１Ｂ，１Ｃ  ワイヤハーネス
２，２Ａ  電線群保護シート
３  テープ巻き固定部
４  芯材
４ａ，４ｂ  波形頂部
５，７  第１ライナ材
５ａ，６ａ，７ａ，８ａ  凹条部
６，８  第２ライナ材
９  粘着剤層
Ｔ  粘着テープ
Ｗ  電線群
【図１】
2017022799.tif 000003
【図２】
2017022799.tif 000004
【図３】
2017022799.tif 000005
【図４】
2017022799.tif 000006
【図５】
2017022799.tif 000007
【図６】
2017022799.tif 000008
【図７】
2017022799.tif 000009
【図８】
2017022799.tif 000010